(57)【要約】      （修正有）【課題】財布を着脱容易にするとともに、安定的に保持することが可能な財布付きバッグを提供する。【解決手段】財布付きバッグ１は、財布２とバッグ４とが着脱可能に設けられる。財布２は、バッグ４と連結するための第１磁石２０と、第１磁石２０に対して間隔をあけて設けられた第１係止部２１とを備え、バッグ４は、第１磁石２０に対して着脱自在の第２磁石４０と、第１係止部２１と対向する第２係止部４１とを備え、第１係止部２１と第２係止部４１とは、連結具５１により連結される。【選択図】図２
0003200082.tif 000002
【実用新案登録請求の範囲】
【請求項１】
財布とバッグとが着脱可能に設けられる財布付きバッグであって、
前記財布は、前記バッグと連結するための第１磁石と、前記第１磁石に対して間隔をあけて設けられた第１係止部とを備え、
前記バッグは、前記第１磁石に対して着脱自在の第２磁石と、前記第１係止部と対向する第２係止部とを備え、
前記第１係止部と前記第２係止部とは、連結具により連結される、財布付きバッグ。
【請求項２】
前記財布は、表面、背面、上面および底面を有する外装面を含み、
前記背面の下方には、前記底面寄りに一対の前記第１磁石が設けられ、前記背面の上方には、前記上面寄りに一対の前記第１係止部が設けられ、
前記バッグは、表面、背面、上面および底面を有する外装面を含み、
前記財布と前記バッグとが一体化している状態において、前記バッグの前記背面の下方には、前記バッグの前記底面寄りに、一対の前記第１磁石と連結する一対の前記第２磁石が設けられ、前記バッグの前記背面の上方には、前記バッグの前記上面寄りに、一対の前記第１係止部と対向する位置に配置される一対の前記第２係止部が設けられる、請求項１に記載の財布付きバッグ。
【請求項３】
前記財布は、カード収納部をさらに有し、
前記カード収納部は、前記財布の前記表面寄りに設けられる、請求項２に記載の財布付きバッグ。
【請求項４】
前記第１係止部および前記第２係止部は、環状部材であり、
前記連結具は、ナスカンである、請求項１〜３のいずれかに記載の財布付きバッグ。
【請求項５】
前記第１磁石および前記第２磁石は、長手方向の長さよりも上下方向の長さが短い、請求項１〜４のいずれかに記載の財布付きバッグ。
【請求項６】
前記財布の前記表面および前記背面には、前記財布の前記表面および前記背面の両側端部と上端部にかけて、開閉用のラウンドファスナーが設けられている、請求項２〜５のいずれかに記載の財布付きバッグ。
【考案の詳細な説明】
【技術分野】
【０００１】
この考案は、財布とバッグとが着脱可能に設けられる財布付きバッグに関する。
【背景技術】
【０００２】
従来より、大型バッグの外側に小型バッグを取り付けたバッグが知られている。実開昭５８−１４７２３号公報（特許文献１）には、ショルダーバッグの外面の表裏両面に、付属バッグを着脱自在に取り付けることが開示されている。
【０００３】
特開平１０−２８６０９号公報（特許文献２）には、大型かばんの外側に携帯電話のケースを取り付けるために、大型かばんに設けられる環状の継ぎ手に、携帯電話のケースに設けられるナスカンを接続させることが開示されている。
【先行技術文献】
【特許文献】
【０００４】
【特許文献１】実開昭５８−１４７２３号公報
【特許文献２】特開平１０−２８６０９号公報
【考案の概要】
【考案が解決しようとする課題】
【０００５】
特許文献１のバッグは、大型バッグと小型バッグとがホックで取り付けられているだけであるため、小型バッグが大型バッグから外れてしまうことがあった。特許文献２のバッグは、かばん本体の外側に携帯電話のケースを取り付けることができるものの、携帯電話のケースが上方しか固定されていないため、携帯電話のケースをかばん本体に安定的に保持することができなかった。
【０００６】
そこで、本考案は、上記のような課題を解決するためになされたものであって、その目的は、財布を着脱容易にするとともに、安定的に保持することが可能な財布付きバッグを提供することである。
【課題を解決するための手段】
【０００７】
この考案に係る財布付きバッグは、財布とバッグとが着脱可能に設けられる財布付きバッグである。財布は、バッグと連結するための第１磁石と、第１磁石に対して間隔をあけて設けられた第１係止部とを備え、バッグは、第１磁石に対して着脱自在の第２磁石と、第１係止部と対向する第２係止部とを備え、第１係止部と第２係止部とは、連結具により連結される。
【０００８】
好ましくは、財布は、表面、背面、上面および底面を有する外装面を含み、背面の下方には、底面寄りに一対の第１磁石が設けられ、背面の上方には、上面寄りに一対の第１係止部が設けられ、バッグは、表面、背面、上面および底面を有する外装面を含み、財布とバッグとが一体化している状態において、バッグの背面の下方には、バッグの底面寄りに、一対の第１磁石と連結する一対の第２磁石が設けられ、バッグの背面の上方には、バッグの上面寄りに、一対の第１係止部と対向する位置に配置される一対の第２係止部が設けられる。
【０００９】
好ましくは、財布は、カード収納部をさらに有し、カード収納部は、財布の表面側に設けられる。
【００１０】
好ましくは、第１係止部および第２係止部は、環状部材であり、連結具は、ナスカンである。
【００１１】
好ましくは、第１磁石と第２磁石は、長手方向の長さよりも上下方向の長さが短い。
【００１２】
好ましくは、財布の表面および背面には、財布の表面および背面の両側端部と上端部にかけて、開閉用のラウンドファスナーが設けられている。
【考案の効果】
【００１３】
本考案によれば、バッグと財布とが磁石により着脱可能であるとともに、それぞれの係止部を連結具により連結するため、バッグと財布が着脱容易であるとともに、バッグと財布を安定的に保持することが可能な財布付きバッグを提供することができる。
【図面の簡単な説明】
【００１４】
【図１】本考案の実施の形態に係る財布付きバッグを示す斜視図である。
【図２】本考案の実施の形態に係る財布付きバッグの側面図である。
【図３】財布、バッグおよび肩掛けベルトを分離した状態の正面図である。
【図４】財布のラウンドファスナーを開けた状態を示す斜視図である。
【図５】図３のＶ−Ｖ線に沿う断面図である。
【図６】財布とバッグを向かい合わせた状態を示す斜視図である。
【考案を実施するための形態】
【００１５】
本考案の実施の形態について図面を参照しながら詳細に説明する。なお、図中同一または相当部分には同一符号を付してその説明は繰返さない。
【００１６】
図１は、本考案の実施の形態に係る財布付きバッグを示す斜視図である。図１を参照して、本実施の形態に係る財布付きバッグ１は、財布２とバッグ４とが着脱可能に設けられている。財布付きバッグ１は、財布２およびバッグ４を上方で連結する連結具５１を含む肩掛けベルト５を有している。この場合、財布付きバッグ１は、肩掛けベルト５の長さを調節することにより、たとえば、ショルダーバッグ、ハンドバッグとして使用することができる。財布２、バッグ４および肩掛けベルト５は、同一の材質、同一の色で形成されていることが望ましい。
【００１７】
＜財布について＞
図２〜５をさらに参照して、財布２について説明する。図２は、財布付きバッグ１の側面図であり、図３（Ａ）は財布２、図３（Ｂ）はバッグ４、図３（Ｃ）は肩掛けベルト５の正面図であり、図４は、財布２のラウンドファスナーを開けた状態を示す斜視図であり、図５は、財布２の縦断面図である。図２において、矢印Ａ１で示す方向を厚み方向といい、矢印Ａ２で示す方向を上下方向という。
【００１８】
財布２は、たとえば、コイン、紙幣およびカードなどを収納することができる長財布である。財布２の外装面は、表面２２、背面２３、上面２４および底面２５を含む。財布２の表面２２および背面２３には、表面２２および背面２３の両側端部から上面２４にかけて、開閉用のラウンドファスナー２６が設けられている。財布２は、ラウンドファスナー２６により開閉自在に構成されている。
【００１９】
財布２の下方には、バッグ４と着脱自在にするための第１磁石２０が設けられている。具体的には、第１磁石２０は、背面２３の下方で、底面２５寄りに設けられている。第１磁石２０は、財布２の長手方向において、間隔をあけて一対設けられている。第１磁石２０は、横長の形状であり、長手方向の長さよりも上下方向の長さが短い。第１磁石２０は、財布２の背面２３上に露出しないように、外装されていてもよい。
【００２０】
さらに、財布２の上方には、連結具５１に連結するための第１係止部２１が設けられている。第１係止部２１は、たとえば、環状部材であり、背面２３の上方で、上面２４寄りに設けられている。これにより、第１磁石２０と第１係止部２１とは、上下方向において間隔をあけて配置される。また、第１係止部２１は、財布２の長手方向において、間隔をあけて一対設けられている。
【００２１】
図４，５を特に参照して、財布２の内部について説明する。財布２の内部には、複数の収納部が並んで設けられている。図４，５の紙面上の中央部には、上部がファスナー３２で形成され、小銭などを収納するコイン収納部３１が配置される。財布２の表面２２の裏面には、磁気を有するカードなどを収納するカード収納部３３が設けられる。カード収納部３３は、上方から３段設けられていて、下方には設けられていない。コイン収納部３１とカード収納部３３との間には、紙幣やレシートなどを収納する紙幣収納部３４が設けられる。さらに、財布２の背面２３の裏面には、紙幣収納部３５が設けられる。
【００２２】
以上より、第１磁石２０とカード収納部３３との間には、コイン収納部３１が配置されるため、カード収納部３３は、厚み方向において、第１磁石２０からＬ１だけ間隔をあけて設けられる。これにより、カード収納部３３に収納されるカードが、第１磁石２０から受ける磁力の影響を小さくすことができる。さらに、財布２の第１磁石２０を、横長の形状にすることにより、上下方向において、カード収納部３３は、第１磁石２０からＬ２だけ間隔をあけて設けられる。これにより、カード収納部３３に収納されるカードが、第１磁石２０から受ける磁力の影響をさらに小さくすることができる。
【００２３】
＜バッグについて＞
図１〜３を参照して、バッグ４について説明する。
【００２４】
バッグ４は、たとえば、小物などを収納することができる蓋付きのバッグである。バッグ４の外装面は、表面４２、背面４３、上面４４および底面４５を含む。上面４４は、バッグ本体の上方を覆う蓋部４６の一部により構成されている。蓋部４６は、バッグ４の背面４３から延びて、表面４２の一部を被う。表面４２および蓋部４６には、表面４２および蓋部４６が向かい合う部分に蓋部４６の開閉を自在とするホックや磁石などが設けられている。
【００２５】
バッグ４の下方には、財布２と着脱自在の第２磁石４０が設けられている。具体的には、第２磁石４０は、財布２の一対の第１磁石２０と対向して配置され、背面４３の下方で、底面４５寄りに設けられている。第２磁石４０は、バッグ４の長手方向において、間隔をあけて一対設けられている。第２磁石４０は、第１磁石２０と同一の形状である。第２磁石４０の表面は、バッグ４の背面４３上に露出しないように、外装されている。
【００２６】
さらに、バッグ４の上方には、連結具５１に連結するための第２係止部４１が設けられている。第２係止部４１は、一対の第１係止部２１と対向する位置に配置される。具体的には、第２係止部４１は、背面４３の上方で、上面４４寄りに設けられている。第２係止部４１は、たとえば、環状部材である。これにより、第２磁石４０と第２係止部４１とは、上下方向において間隔をあけて配置される。
【００２７】
肩掛けベルト５は、ベルト部５２とベルト部５２の両端に設けられる連結具５１とを備える。ベルト部５２は、長さを調節することができる。連結具５１は、たとえば、ナスカンである。
【００２８】
＜財布付きバッグについて＞
図６を参照して、バッグに財布を取り付ける方法について説明する。図６は、財布をバッグに向かい合わせた状態を示す斜視図である。
【００２９】
まず、財布２の背面２３とバッグ４の背面４３とを向かい合わせて配置させる。すると、財布２の第１磁石２０とバッグ４の第２磁石４０とは吸着し、財布２の背面２３とバッグ４の背面４３とが対向する。これにより、財布２の第１係止部２１とバッグ４の第２係止部４１とが対向する。さらに、図２に示すように、財布２の第１係止部２１とバッグ４の第２係止部４１とを肩掛けベルト５の連結具５１で連結する。これにより、バッグ４と財布２とが一体化する。
【００３０】
財布２とバッグ４の下端部にそれぞれ磁石２０，４０が設けられているため、磁石２０，４０の磁力により、自然と財布２とバッグ４が連結する。そのため、連結具５１を係止部２１，４１に連結する際に、財布２とバッグ４の下端部を手で掴む必要がなく、連結具５１と係止部２１，４１との連結を容易に行うことができる。
【００３１】
また、財布２とバッグ４の下端部が磁石２０，４０により固定され、上端部が係止部２１，４１により固定されるため、財布２とバッグ４とを安定的に固定することができる。これにより、使用時に、財布２の背面２３とバッグ４の背面４３とが当接し、分離しないため、財布２とバッグ４を安定的に保持することができる。さらに、バッグ４から財布２を取り外したいときも、連結具５１を係止部２１，４１から取り外し、バッグ４と財布２を離すだけでよいため、簡単に分離させることができる。
【００３２】
本実施の形態に係る財布付きバッグ１をショルダーバッグとして使用する場合には、財布２の表面２２が使用者の体に接する面となる。財布２がバッグの外に配置されることになったとしても、財布２が使用者の体に接することで、使用者に安心感を与えることができる。
【００３３】
財布付きバッグ１は、５通りの使用方法がある。第１に、図１に示されているように、財布２とバッグ４とを肩掛けベルト５で連結する。これにより、ショルダーバッグとして使用することができる。第２に、財布２の第１係止部２１に肩掛けベルト５の連結具５１を連結することで、財布２をショルダーバッグのようにして使用することができる。第３に、バッグ４の第２係止部４１に肩掛けベルト５の連結具５１を連結することで、一般的なショルダーバッグとして使用することができる。第４に、財布２単体として使用することができる。第５に、バッグ４単体として使用することができる。このような構造とすることにより、使用者の希望に合わせた用途で使用することが可能である。
【００３４】
なお、上記実施の形態において、上記実施の形態において、磁石２０，４０を下方に配置させ、係止部２１，４１を上方に配置させた。しかし、磁石２０，４０と係止部２１，４１とが間隔をあけて配置されていればよく、たとえば、磁石２０，４０が上方に配置され、係止部２１，４１が下方に配置されていてもよい。
【００３５】
また、上記実施の形態において、係止部を環状部材、連結具をナスカンとして説明したが、この形状に限定されない。係止部は、連結具を連結することができる形状であればよく、たとえば、貫通孔であってもよい。連結具は、係止部に連結することができる形状であればよい。
【００３６】
また、財布２は、ラウンドファスナー、バッグ４は、蓋付きバッグであるとして説明したが、これに限定されない。たとえば、財布２およびバッグ４は、上方部のみにファスナーが設けられている形状や、上方部および一方の側方部のみにファスナーが設けられている形状であってもよい。また、財布２が蓋付きの財布であってもよい。
【００３７】
また、上記実施の形態において、第１磁石２０と第２磁石４０は、横長の形状であるとしたが、カード収納部３３に対して磁力の影響を与えないような形状であれば、他の形状であってもよい。
【００３８】
以上、図面を参照してこの考案の実施形態を説明したが、この考案は、図示する実施形態のものに限定されない。図示された実施形態に対して、この考案と同一の範囲内において、あるいは均等の範囲内において、種々の修正や変形を加えることが可能である。
【符号の説明】
【００３９】
１  財布付きバッグ、２  財布、４  バッグ、５  肩掛けベルト、２０  第１磁石、２１  第１係止部、２２  表面、２３  背面、２４  上面、２５  底面、２６  ラウンドファスナー、３１  コイン収納部、３２  ファスナー、３３  カード収納部、３４，３５  紙幣収納部、４０  第２磁石、４１  第２係止部、４２  表面、４３  背面、４４  上面、４５  底面、４６  蓋部、５１  連結具、５２  ベルト部。
【図１】
0003200082.tif 000003
【図２】
0003200082.tif 000004
【図３】
0003200082.tif 000005
【図４】
0003200082.tif 000006
【図５】
0003200082.tif 000007
【図６】
0003200082.tif 000008